(57)【要約】【課題】ガラス容器の表面に対するシールの貼り付けや印刷への影響を抑えながら、視認性に優れた記号や模様を該表面に設けることができるバッフル、パリソン成形用金型、ガラス容器製造装置及びガラス容器を提供すること。【解決手段】本発明に係るバッフル５は、姿面に凹部１２が形成されたパリソン成形用の金型である。本発明に係るパリソン成形用金型は、上記バッフル５を有する。本発明に係るガラス容器製造装置は、上記バッフル又は上記パリソン成形用金型を具備する。【選択図】図１
2020007166.tif 000002
【特許請求の範囲】
【請求項１】
姿面に凹部が形成されたパリソン成形用の金型であるバッフル。
【請求項２】
請求項１に記載のバッフルを有するパリソン成形用金型。
【請求項３】
請求項１に記載のバッフル又は請求項２に記載のパリソン成形用金型を具備するガラス容器製造装置。
【請求項４】
底部下面に文字又は模様が形成されているガラス容器であって、
前記文字又は模様は無端溝によって囲まれていることを特徴とするガラス容器。
【発明の詳細な説明】
【技術分野】
【０００１】
本発明は、例えば、ガラス容器の製造に用いられるバッフル、パリソン成形用金型、ガラス容器製造装置及びガラス容器に関する。
【背景技術】
【０００２】
従来、ガラス容器入りの商品は市場に出回っており、ガラス容器の底部外面には、その容器がいつ、どこで製造されたものかが分かるように、製造時期や製造工場名等を表す出所表示記号が刻印される。この出所表示記号は、商品の供給者側にて識別可能であればその用が足りるといった観点から、比較的少数の文字で構成されることが多い。
【０００３】
一方、例えば化粧品や健康食品等の商品が入るガラス容器の底部外面には、商品の消費期限や賞味期限など、消費者向けの商品情報を示したシールが貼られたり、同情報が印刷（インクジェット印刷等）されたりすることがある。
【先行技術文献】
【特許文献】
【０００４】
【特許文献１】特開２０１４−２３７５５３号公報
【発明の概要】
【発明が解決しようとする課題】
【０００５】
ところで、従来のガラス容器では、出所表示記号を構成する凸状の文字が底部外面に形成されるが、特にガラス容器の底部を厚くするべくパリソンの底部を厚くしてある場合には、このパリソンをブロー成形する際に、金型に設けた文字形成用の凹溝にパリソンの厚い底部が入り込みづらくなり、形成された文字の凸量が不足してその判別が難しくなるため、凹溝を深くしたりその幅を広げたりする必要がある。
【０００６】
しかし、その結果、形成された文字の凸量や幅が大きくなると、ガラス容器の底部外面へのシールの貼り付けや印刷に支障を来し、斯かるシールや印刷により表示される商品情報の正確な認識が困難になる恐れがある。そして、シールが剥がれた場合は勿論、印刷の一部がかすれる等して、比較的多くの文字（上記出所表示記号に係る文字数よりも多くの文字）で構成される傾向にある商品情報が一部でも損なわれてしまうと、例えば消費期限を過ぎた商品の使用、あるいは消費期限内の商品の廃棄といった事態に結びつき、消費者等が危険に晒されたり不利益を被ったりすることになり兼ねない。
【０００７】
そこで、ガラス容器の底部外面ではなく底部内面に凹凸模様として文字や数字等を設け、容器の底部外面に凹凸を生じさせなくすることも考えられるが（引用文献１、段落００２９等）、この場合、容器の内面底部に形成された文字等の視認性が懸念される。
【０００８】
本発明は上述の事柄に留意してなされたもので、その目的は、ガラス容器の表面に対するシールの貼り付けや印刷への影響を抑えながら、視認性に優れた記号や模様を該表面に設けることができるバッフル、パリソン成形用金型、ガラス容器製造装置及びガラス容器を提供することにある。
【課題を解決するための手段】
【０００９】
上記目的を達成するために、本発明に係るバッフルは、姿面に凹部が形成されたパリソン成形用の金型である（請求項１）。
【００１０】
上記目的を達成するために、本発明に係るパリソン成形用金型は、請求項１に記載のバッフルを有する（請求項２）。
【００１１】
一方、上記目的を達成するために、本発明に係るガラス容器製造装置は、請求項１に記載のバッフル又は請求項２に記載のパリソン成形用金型を具備する（請求項３）。
【００１２】
また、上記目的を達成するために、本発明に係るガラス容器は、外面に文字又は模様が形成されているガラス容器であって、前記文字又は模様は無端溝によって囲まれている（請求項４）。
【発明の効果】
【００１３】
本願発明では、ガラス容器の表面に対するシールの貼り付けや印刷への影響を抑えながら、視認性に優れた記号や模様を該表面に設けることができるバッフル、パリソン成形用金型、ガラス容器製造装置及びガラス容器が得られる。
【００１４】
すなわち、本願の各請求項に係る発明のバッフル等では、ガラス容器に形成した記号又は模様が、無端溝によって囲まれて強調され、視認性に優れたものとなる。そして、本発明のバッフル等によってガラス容器に形成された記号又は模様の表面は、無端溝よりも外側の部分と滑らかに連続するように延び、かつ、無端溝の溝幅は比較的狭いため、記号又は模様や無端溝はこれらが位置する部分に対するシールの貼り付けや印刷に殆ど悪影響を及ぼすことはない。特に、本発明は、底部の厚い（例えば底部肉厚が約７．５ｍｍ以上の）ガラス容器の底部外面に文字や模様を設ける場合に効果的である。
【００１５】
また、パリソンの仕上成形に用いられる底型の上面に凹凸を設けてガラス容器の底面に記号又は模様を形成しようとした場合には、その凹凸に離型剤が溜まり易く、メンテナンス性が低下することになるが、本発明では、バッフルの姿面としての下面に凹部を設ければ、そこに離型剤が溜まり易くなることにはならないので、離型剤の溜まり易さに基づくメンテナンス性の低下を招来せず、この点で優れたものとなる。
【図面の簡単な説明】
【００１６】
【図１】（Ａ）〜（Ｈ）は、本発明の一実施の形態に係るガラス容器製造装置によるガラス容器製造方法の手順を概略的に示す説明図である。
【図２】前記ガラス容器製造装置のバッフルの構成を概略的に示す正面図である。
【図３】（Ａ）〜（Ｆ）は、前記ガラス容器製造方法においてガラス容器に記号又は模様が形成される過程を示す説明図である。
【図４】（Ａ）はパリソンに形成された凸部、（Ｂ）はガラス容器に形成された記号又は模様をそれぞれ示す説明図である。
【発明を実施するための形態】
【００１７】
本発明の実施の形態について図面を参照しながら以下に説明する。
【００１８】
本実施形態のガラス容器製造装置は、図１（Ａ）〜（Ｈ）に示すプレスアンドブロー方式のガラス容器製造方法を実行可能に構成されたものである。以下では、このガラス容器製造装置の構成の説明を兼ねて、ガラス容器製造方法の内容について説明する。
【００１９】
本実施形態のガラス容器製造方法では、まず、口型１及びこの口型１内を通って昇降可能なプランジャ２がセットされた粗型３内の空洞部４に上方からゴブ（ガラス溶融の塊）Ｇを投入する（図１（Ａ））。次いで、バッフル５を降ろして空洞部４に蓋をし（図１（Ｂ））、プランジャ２を上昇させて空洞部４内の上部にまで進入させ、パリソンＰを成形する（図１（Ｃ））。すなわち、粗型３及びバッフル５は、パリソン成形用金型を構成する。
【００２０】
パリソンＰの成形後、粗型３を構成する一対の割型３Ａ，３Ｂを開き、パリソンＰを口型１で支持した状態でインバート装置６により上下反転させて型開きした仕上型７へ移送する（図１（Ｄ））。その後、一対の割型からなる仕上型７は、底型８及びパリソンＰを抱き込んで閉じ、口型１はパリソンＰを離しインバート装置６によって粗型側に戻る（図１（Ｅ））。
【００２１】
続いて、仕上型７にブローヘッド９をセットし（図１（Ｆ））、パリソンＰの内部に高圧空気を吹き込み（所謂ファイナルブロー）、仕上型７及び底型８の姿面に沿うまでパリソンＰを膨らませる。こうしてガラス容器１０の成形が完了すれば、ブローヘッド９を退かせ仕上型７を開放した後、ガラス容器１０の口部をテイクアウトトング１１によって掴み、宙吊り状態でガラス容器１０を搬出する（図１（Ｇ）、（Ｈ））。
【００２２】
そして、本実施形態では、図２及び図３（Ａ）に示すように、バッフル５の姿面（下面）５ａに凹部１２を設ける。これにより、ガラス容器成形用のパリソンＰの表面（外側面であって、本例ではガラス容器１０に成形されたときの底面に相当する位置）に、凹部１２が転写された凸部１３が形成されることになる（図３（Ｂ）及び（Ｃ）参照）。そして、この凸部１３は、パリソンＰがファイナルブローによってガラス容器１０に成形される際に、底型８の姿面（上面）に押し当てられることにより、最終的には、無端溝１４に囲まれ、かつ、その表面は無端溝１４の外側の部分と滑らかに連続するように延びる記号又は模様（以下、「記号等」という）１５に変形する（図３（Ｄ）〜（Ｆ）参照）。
【００２３】
つまり、記号等１５は、ガラス容器１０の底面に形成されることになり、例えば、図４（Ａ）に示すように、凸部１３が「Ｓ」の字を象ったものである場合、記号等１５は、同図（Ｂ）に示すように、同じく「Ｓ」の字を象ったものとなるが、さらにその周囲が無端溝１４で囲まれた形状を呈することになり、縁（輪郭）が無端溝１４によって強調されて、視認性に優れたものとなる。
【００２４】
また、形成された記号等１５の表面は、無端溝１４よりも外側の部分と滑らかに連続するように延び（例えば略面一となり）、かつ、無端溝１４の溝幅は比較的狭いため、記号等１５や無端溝１４はこれらが位置する部分に対するシールの貼り付けや印刷に殆ど悪影響を及ぼすことはない。しかも、無端溝１４において記号等１５側に連なる部分も外側に連なる部分も、それぞれ滑らかな曲線状に形成されるので、指で無端溝１４付近に触れた際に怪我をし難い上、物が無端溝１４付近に接触した場合でも凹凸による抵抗が小さく破損し難い。
【００２５】
以上の点から、凹部１２の深さは、０．１ｍｍ〜０．５ｍｍとするのが好ましい。すなわち、０．１ｍｍを下回ると、無端溝１４が浅くなって記号等１５の視認性の向上を図ることができず、逆に０．５ｍｍを上回ると、無端溝１４が幅広になってシールの貼り付けや印刷への影響が懸念される程度の凹凸を形成することになる。特に０．３ｍｍ前後（０．２５ｍｍ〜０．３５ｍｍ）とすれば、視認性においてもシールの貼り付けや印刷に対する影響の抑制を図れるという点においても、非常に優れた効果が得られると考えられる。
【００２６】
ここで、最終的にガラス容器１０の底面に無端溝１４を設ければよいという観点から、パリソンＰに凸部１３を形成せずに、底型８の上面に無端溝１４を転写するための凸部を設けておけばよいとも考えられるが、このようにして形成される無端溝１４は、本実施形態による無端溝１４よりも、浅くなるか幅広になることを避けられない。すなわち、本実施形態のガラス容器製造方法では、無端溝１４の溝幅を狭めつつ（例えば０．１ｍｍ〜０．３ｍｍ程度）比較的深く（例えば０．３〜０．６ｍｍ程度に）することが可能であるが、この無端溝１４と同様の溝幅及び深さを持った無端溝を、底型８に凸部を設けて実現することは、型抜き等を考慮すれば不可能といえる。
【００２７】
詳述すると、上記ファイナルブローにより、パリソンＰ（ガラス）は金型（仕上型・底型）に沿ってガラス容器１０（製品）の形になるが、パリソンＰがブローによって膨らんでいく際に、金型に接して温度（流動性）の下がるパリソンＰの外表面側ほどその層（面）の連続性が高く維持されつつ変形することになり、このような変形によってパリソンＰにおける凸部１３の周囲付近に無端溝１４が形成されることになると考えられる。そして、例えば、バッフル５の凹部１２の深さを０．３ｍｍ程度、凹部１２の長手方向に垂直な断面幅を１．０ｍｍ程度とした場合、形成される無端溝１４の深さは０．３ｍｍ強程度、溝幅は０．２ｍｍ位になる。
【００２８】
しかも、底型８の上面に凸部を設けると、その凹凸に離型剤が溜まり易く、メンテナンス性が低下することになるが、本実施形態では、バッフル５の下面に凹部１２を設けるので、離型剤の溜まり易さに基づくメンテナンス性の低下を招来せず、この点でも優れたものとなる。
【００２９】
そして、以上の説明から理解されるように、ガラス容器１０に設けたい記号等１５の形状に応じて凹部１２の形状を決めればよく、そうした凹部１２あるいは記号等１５の形状には、種々の記号（文字やマーク、絵などの意味を付された図形）や模様（装飾のための図形）を採用することができ、世界の各言語に使用される数字や文字の他、様々なキャラクターをモチーフにしたもの等であってもよい。
【００３０】
なお、本発明は、上記の実施の形態に何ら限定されず、本発明の要旨を逸脱しない範囲において種々に変形して実施し得ることは勿論である。例えば、以下のような変形例を挙げることができる。
【００３１】
上記実施の形態では、ガラス容器１０の底面に記号等１５を設けるために、バッフル５に凹部１２を形成しているが、これに限らず、例えば、粗型３に凹部１２を形成し、ガラス容器１０の側面に記号等１５を設けるようにしてもよい。つまり、粗型３もバッフル５もパリソン成形用の金型であり、このパリソン成形用の金型に形成する凹部１２の位置は任意に決定することができ、例えば粗型３とバッフル５とにわたって延びるような凹部１２を形成することも考えられる。
【００３２】
また、ガラス容器の製造は、一般に、先ずゴブを粗成形して半製品であるパリソンとし、次にパリソンを仕上成形してガラス容器に完成させる工程を採り、ゴブからパリソンへの粗成形は、プレス成形で行ったりブロー成形で行ったりするが、パリソンからの仕上成形はブロー成形で行う。そして、ガラス容器の製造方法は、粗成形と仕上成形の組み合わせに応じて、プレスアンドブロー方式あるいはブローアンドブロー方式と称する。上記実施の形態のガラス容器製造方法は、プレスアンドブロー方式によるものであるが、本発明は、ブローアンドブロー方式にも適用可能であり、具体的には、粗成形で用いるブロー装置（カウンターブローを行うための装置）を構成するパリソン成形用の金型（粗型、バッフル）の姿面に凹部１２を形成するようにしてもよい。
【００３３】
そして、本明細書で挙げた変形例どうしを適宜に組み合わせてもよいことはいうまでもない。
【符号の説明】
【００３４】
１    口型
２    プランジャ
３    粗型
３Ａ  割型
３Ｂ  割型
４    空洞部
５    バッフル
５ａ  姿面（下面）
６    インバート装置
７    仕上型
８    底型
９    ブローヘッド
１０    ガラス容器
１１    テイクアウトトング
１２    凹部
１３    凸部
１４    無端溝
１５    記号等（記号又は模様）
Ｇ    ゴブ
Ｐ    パリソン
【図１】
2020007166.tif 000003
【図２】
2020007166.tif 000004
【図３】
2020007166.tif 000005
【図４】
2020007166.tif 000006